(57)【要約】【課題】本発明は、ガスコンロ、ＩＨなどの加熱調理器から発生する汚染空気をレンジフードに誘導する装置に係り、扁平状のケーシングを加熱調理器の調理部の後上方に立設して、排気の誘導及びコアンダ効果により汚染空気の誘導を効率よく行うようにしたものである。【解決手段】調理部の後上方に立設したケーシングの内部にファンからの誘導空気を吹出す誘導空気吹出口を上方に向けて開口して、ケーシングに設けた排気誘導口により調理部からの排気をケーシング内に誘引すると共に、これら誘導空気及び排気を、ケーシングに設けた誘導気流吹出口からケーシング外に導いてケーシング上部の壁面部のコアンダ効果により上方に確実に導くようにした。【選択図】図６
2008202852.tif 000002
【特許請求の範囲】
【請求項１】
加熱調理器の調理部の後上方に立設する扁平状のケーシングの内部に、排気を誘導するためのファンから吹出された誘導空気の通路を備えると共に誘導空気を吹出す誘導空気吹出口を上方に向けて開口し、ケーシングの前面側であって誘導空気吹出口の高さ位置の近傍又は下方近傍に調理部からの排気を誘導する排気誘導口を設け、排気誘導口からの排気の通路と誘導空気の通路とを区画してケーシング内に設け、ケーシングの前面側であって誘導空気吹出口の位置する上方に誘導空気の通路からの誘導空気及び排気の通路からの排気を吹出す誘導気流吹出口を設け、誘導気流吹出口からの誘導気流を上方に案内する壁面部をケーシングの上部に備えていることを特徴とする加熱調理器用排気誘導装置。
【請求項２】
ケーシングは下方部を支点にして前方に回動可能な支持手段を介して加熱調理器の調理部の後方に固定し、ケーシングの上端部に上方に延長可能でケーシングに重ね合わせ可能な延長壁面板を連結し、ケーシングと延長壁面板との連結部にケーシングと延長壁面板とを所定角度で立設可能な固定手段を備え、延長壁面板をケーシングに重ね合わせてケーシングを回動して水平に位置させることにより加熱調理器の調理部を覆う蓋となる大きさにケーシング及び延長壁面板を形成したことを特徴とする請求項１に記載の加熱調理器用排気誘導装置。
【請求項３】
加熱調理器は電磁誘導加熱式で内部の電子部品等の発熱を冷却するための冷却空気の通路を備え、冷却空気の排気口をケーシングに設けた誘導空気の通路に連通させ、冷却空気の通路及び誘導空気の通路に空気を流通させるファンをケーシング内と加熱調理器内のいずれか一方に設けたことを特徴とする請求項１又は２に記載の加熱調理器用排気誘導装置。
【請求項４】
加熱調理器は、電磁誘導加熱式で内部に電子部品等の発熱を冷却するための冷却空気の通路及びグリルを備えると共に、冷却空気の通路からの冷却空気の排気口及びグリルの排気口を備え、ケーシング内の下方に回転軸を水平としたクロスフローファンを設け、ケーシングの背面側であってクロスフローファンの下方に給気口を設けて給気口からの給気の一部が冷却空気の通路に連通し、他部がクロスフローファンの吸込通路に連通するようにケーシング内を区画し、冷却空気の排気口をクロスフローファンの吸込通路に連通させ、グリルの排気口から誘導空気吹出口の近傍位置までのケーシング内にグリルの排気路を設けたことを特徴とする請求項１〜３のいずれかに記載の加熱調理器用排気誘導装置。
【請求項５】
ケーシングの上端部に上方に延長可能な延長壁面板を連結し、延長壁面板の上端を加熱調理器の上方に設けられたレンジフードの開口近くに位置させたことを特徴とする請求項１〜４のいずれかに記載の加熱調理器用排気誘導装置。
【発明の詳細な説明】
【技術分野】
【０００１】
本発明は、ガスコンロ、電磁誘導加熱調理器などの加熱調理器から発生する汚染空気を上方に誘導する加熱調理器用排気誘導装置に係り、特に扁平状のケーシングを加熱調理器の調理部の後上方に立設して、排気の誘導及びコアンダ効果により汚染空気の誘導を効率よく行うようにした装置に関するものである。
【背景技術】
【０００２】
従来、図８に示す局所排気装置が知られている（例えば、特許文献１参照）。この局所排気装置は吸込気流発生部５０及び吹出気流発生部５１を備え、吸込気流発生部５０は調理機器４１の上方位置の天井４４に設けられた吸込口５５から調理機器４１により生じる汚染空気６７を上向きの吸込気流５６を生じさせて吸込んで、排気ダクト５７、排気ファン５８、排気口５８ａを介して室外へ排気するようにしている。
吹出気流発生部５１は室外空気を給気口６４ａから吸込んで、給気ファン６４、給気ダクト６３、吹出口６０を有する吹出ノズル６２を介して吹出すようにしており、吹出ノズル６２を調理機器４１の側方近傍の室内壁面４２に上向き起立状に設けて上向きの吹出気流６１を生じさせるように吹出している。
上記給気ダクト６３の配管経路つまり吹出気流通路は、図示のごとく、室外から天井４４と厨房室の上部スラブ６５との空間を水平方向へ延びた後、室内壁（図示省略）内を垂直下方へ垂下してから、調理機器４１のケーシングつまり調理台６６内を通って、上記吹出ノズル６２の吹出口６０へ延びている。
この図８に示す従来のものは、調理機器４１の側方近傍位置から上向きの吹出気流６１を生じさせて吹出気流６１の誘引作用により調理機器４１の周囲近傍の汚染空気６７を吹出気流６１へ強制的に捕集配達して室外に排気するようにしている。
【０００３】
また、従来、図９に示すレンジフード装置が知られている（例えば、特許文献２参照）。このレンジフード装置は、レンジ７１に設けられた焼き物器７２、ガスコンロ７３及びオーブン７８と、コアンダ作用板７４、背板７５、レンジフード７６、蓋７７及び排気ファン７９からなり、焼き物器７２からの排ガスを排ガス通路８０によりレンジフード７６に導くと共に、ガスコンロ７３で発生した排ガスをコアンダ作用板７４によるコアンダ効果によりレンジフード７６に導くようにしたものである。
【特許文献１】特開２００１−３５５８８９号  公報
【特許文献２】特開昭６０−１８６６３７号  公報
【発明の開示】
【発明が解決しようとする課題】
【０００４】
図８に示す局所排気装置は、給気ダクト６３及び排気ダクト５７を用いた大掛かりな装置であり、多額の設置工事費が必要となる問題があった。
また、図９に示すレンジフード装置は、コアンダ作用板７４によりガスコンロ７３で発生した排ガスをコアンダ効果によりレンジフード７６に導くようにしているが、ガスコンロ７３周りの空気流（風）により、排ガスがコアンダ作用板７４に導かれずに室内に拡散するという問題があった。
【０００５】
本発明は、このような従来の構成が有していた問題を解決しようとするものであり、調理部からの排気を誘導する機能と誘導気流をコアンダ効果により上方に案内する機能を備えた扁平状のケーシングを加熱調理器の調理部の後上方に立設するという簡単な装置で効率よく調理部からの排気を案内することを目的とするものである。また、本発明は、特に電磁誘導加熱式の調理器用に適するようにすることも目的としている。
【課題を解決するための手段】
【０００６】
請求項１に係る本発明は、加熱調理器の調理部の後上方に立設する扁平状のケーシングの内部に、排気を誘導するためのファンから吹出された誘導空気の通路を備えると共に誘導空気を吹出す誘導空気吹出口を上方に向けて開口し、ケーシングの前面側であって誘導空気吹出口の高さ位置の近傍又は下方近傍に調理部からの排気を誘導する排気誘導口を設け、排気誘導口からの排気の通路と誘導空気の通路とを区画してケーシング内に設け、ケーシングの前面側であって誘導空気吹出口の位置する上方に誘導空気の通路からの誘導空気及び排気の通路からの排気を吹出す誘導気流吹出口を設け、誘導気流吹出口からの誘導気流を上方に案内する壁面部をケーシングの上部に備えている加熱調理器用排気誘導装置である。
【０００７】
請求項２に係る本発明は、請求項１に係る本発明に加えて、さらに、ケーシングは下方部を支点にして前方に回動可能な支持手段を介して加熱調理器の調理部の後方に固定し、ケーシングの上端部に上方に延長可能でケーシングに重ね合わせ可能な延長壁面板を連結し、ケーシングと延長壁面板との連結部にケーシングと延長壁面板とを所定角度で立設可能な固定手段を備え、延長壁面板をケーシングに重ね合わせてケーシングを回動して水平に位置させることにより加熱調理器の調理部を覆う蓋となる大きさにケーシング及び延長壁面板を形成した加熱調理器用排気誘導装置である。
【０００８】
請求項３に係る本発明は、請求項１又は２に係る本発明の構成に加え、さらに、加熱調理器は電磁誘導加熱式で内部の電子部品等の発熱を冷却するための冷却空気の通路を備え、冷却空気の排気口をケーシングに設けた誘導空気の通路に連通させ、冷却空気の通路及び誘導空気の通路に空気を流通させるファンをケーシング内と加熱調理器内のいずれか一方に設けた加熱調理器用排気誘導装置である。
【０００９】
請求項４に係る本発明は、請求項１〜３のいずれかに係る本発明の構成に加え、さらに、加熱調理器は、電磁誘導加熱式で内部に電子部品等の発熱を冷却するための冷却空気の通路及びグリルを備えると共に、冷却空気の通路からの冷却空気の排気口及びグリルの排気口を備え、ケーシング内の下方に回転軸を水平としたクロスフローファンを設け、ケーシングの背面側であってクロスフローファンの下方に給気口を設けて給気口からの給気の一部が冷却空気の通路に連通し、他部がクロスフローファンの吸込通路に連通するようにケーシング内を区画し、冷却空気の排気口をクロスフローファンの吸込通路に連通させ、グリルの排気口から誘導空気吹出口の近傍位置までのケーシング内にグリルの排気路を設けた加熱調理器用排気誘導装置である。
【００１０】
請求項５に係る本発明は、請求項１〜４のいずれかに係る本発明の構成に加え、さらに、ケーシングの上端部に上方に延長可能な延長壁面板を連結し、延長壁面板の上端を加熱調理器の上方に設けられたレンジフードの開口近くに位置させた加熱調理器用排気誘導装置である。
【００１１】
本発明による作用を以下に説明する。
請求項１に係る本発明の作用は、加熱調理器の調理部の後上方に立設する扁平状のケーシングの内部において誘導空気により調理部からの排気を誘引して、これら誘導空気及び排気をケーシング外に導くと共にケーシングの上部の壁面部のコアンダ効果により上方に確実に導くのである。
【００１２】
請求項２に係る本発明の作用は、請求項１に係る本発明による作用に加え、さらに、ケーシングに重ね合わせ可能な延長壁面板を備えているので、誘導空気及び排気をコアンダ効果により高い位置まで導くことができると共に、延長壁面板をケーシングに重ね合わせて加熱調理器の調理部を覆う蓋に兼用でき、加熱調理器の不使用時に排気装置が目障りとならない。
【００１３】
請求項３に係る本発明の作用は、請求項１又は２に係る本発明による作用に加え、さらに、冷却空気の通路及び誘導空気の通路に空気を流通させるファンはケーシング内と加熱調理器内のいずれか一方に設けているから、他方のファンを省略することができ、コンパクトに形成できる。
【００１４】
請求項４に係る本発明の作用は、請求項１〜３に係る本発明による作用に加え、さらに、ケーシングを電磁誘導加熱式調理器に設けられた冷却空気の通路及びその排気口並びにグリルの排気口と関連を持たせて構成し、既設の電磁加熱式調理器に簡単に排気装置を付設可能としている。
【００１５】
請求項５に係る本発明の作用は、請求項１〜４のいずれかに係る本発明による作用に加え、さらに、延長壁面板の上端を加熱調理器の上方に設けられたレンジフードの開口近くに位置したから、調理部の排気をコアンダ効果によりレンジフードに確実に吸込ませることができる。
【発明の効果】
【００１６】
請求項１に係る本発明は、加熱調理器の調理部の後上方に立設する扁平状のケーシングの内部に、排気を誘導するためのファンから吹出された誘導空気の通路を備えると共に誘導空気を吹出す誘導空気吹出口を上方に向けて開口し、ケーシングの前面側であって誘導空気吹出口の高さ位置の近傍又は下方近傍に調理部からの排気を誘導する排気誘導口を設け、排気誘導口からの排気の通路と誘導空気の通路とを区画してケーシング内に設け、ケーシングの前面側であって誘導空気吹出口の位置する上方に誘導空気の通路からの誘導空気及び排気の通路からの排気を吹出す誘導気流吹出口を設け、誘導気流吹出口からの誘導気流を上方に案内する壁面部をケーシングの上部に備えているから、排気を誘導するための誘導空気により調理部からの排気をケーシング内に誘引して、これら誘導空気及び排気を、ケーシング外に導くと共にケーシングの上部の壁面部のコアンダ効果により上方に確実に導くことができるので、簡単な構成の排気装置でありながら、調理部の排気を効率よく確実に上方に導くことができるのである。
【００１７】
請求項２に係る本発明は、請求項１に係る本発明の効果に加え、ケーシングは下方部を支点にして前方に回動可能な支持手段を介して加熱調理器の調理部の後方に固定し、ケーシングの上端部に上方に延長可能でケーシングに重ね合わせ可能な延長壁面板を連結し、ケーシングと延長壁面板との連結部にケーシングと延長壁面板とを所定角度で立設可能な固定手段を備え、延長壁面板をケーシングに重ね合わせてケーシングを回動して水平に位置させることにより加熱調理器の調理部を覆う蓋となる大きさにケーシング及び延長壁面板を形成したから、誘導空気及び排気をコアンダ効果により高い位置まで導くことができると共に、延長壁面板をケーシングに重ね合わせて加熱調理器の調理部を覆う蓋に兼用できるので、加熱調理器の不使用時には排気装置をコンパクトな加熱調理器の蓋とすることができ、調理面の汚れや排気装置が目障りとならない。
【００１８】
請求項３に係る本発明は、請求項１又は２に係る本発明の効果に加え、加熱調理器は電磁誘導加熱式で内部の電子部品等の発熱を冷却するための冷却空気の通路を備え、冷却空気の排気口をケーシングに設けた誘導空気の通路に連通させ、冷却空気の通路及び誘導空気の通路に空気を流通させるファンをケーシング内と加熱調理器内のいずれか一方に設けたから、他方のファンを省略することができ、加熱調理器及び排気装置全体として、コンパクトでかつ安価に製造することができる。
【００１９】
請求項４に係る本発明は、請求項１〜３のいずれかに係る本発明の効果に加え、加熱調理器は、電磁誘導加熱式で内部に電子部品等の発熱を冷却するための冷却空気の通路及びグリルを備えると共に、冷却空気の通路からの冷却空気の排気口及びグリルの排気口を備え、ケーシング内の下方に回転軸を水平としたクロスフローファンを設け、ケーシングの背面側であってクロスフローファンの下方に給気口を設けて給気口からの給気の一部が冷却空気の通路に連通し、他部がクロスフローファンの吸込通路に連通するようにケーシング内を区画し、冷却空気の排気口をクロスフローファンの吸込通路に連通させ、グリルの排気口から誘導空気吹出口の近傍位置までのケーシング内にグリルの排気路を設けたから、冷却空気の給気口及び排気口並びにグリルの排気口が電磁加熱式調理器の後上部に設けられた既設の電磁加熱式調理器に簡単に排気装置を付設することができる。また、グリル
の排気口からの排気をクロスフローファンに吸込ませることなく誘引するようにしたから、高温のグリルの排気でクロスフローファンを損傷することもない。
【００２０】
請求項５に係る本発明は、請求項１〜４のいずれかに係る本発明の効果に加え、ケーシングの上端部に上方に延長可能な延長壁面板を連結し、延長壁面板の上端を加熱調理器の上方に設けられたレンジフードの開口近くに位置させたから、調理部の排気をコアンダ効果によりレンジフードに確実にかつ効率よく吸込ませることができる。
【発明を実施するための最良の形態】
【００２１】
以下、本発明の実施の形態を添付した図面により詳細に説明する。
図１〜図５は、本発明の第一の実施の形態を示す図面であり、図１は概略を示す側面図、図２は図１における加熱調理器及び排気誘導装置に係る部分の拡大図、図３は図２における排気誘導装置を水平位置まで回動して加熱調理器の蓋とした状態の側面図、図４は排気誘導装置に係る図２におけるＡ矢視図、図５は排気誘導装置及び加熱調理器の天板部に係る図３におけるＢ矢視図である。
図６は本発明の第二の実施の形態を示す概略側面図、図７は本発明の第三の実施の形態を示す概略側面図である。
【００２２】
図１〜図５に基づき、本発明の第一の実施の形態に係る加熱調理器用排気誘導装置について説明する。
図１において、１は加熱調理器用排気誘導装置であり、加熱調理器２０の調理部２１の後上方に立設している。加熱調理器２０は調理台２５に組込まれた電磁誘導加熱式であり、いわゆるビルトインタイプＩＨであり、調理部２１はＩＨヒータ及びラジエントヒータを備えている。
【００２３】
加熱調理器２０の上方に開口３１ａを備えたレンジフード３１が設けられており、レンジフード３１はフィルタ３２、遠心式ファン３３、電動機３４、室外排気フード３５等を備えた排気装置３０と一体に構成している。
なお、図１において、３６は建物の壁面、３７は建物の床面である。
【００２４】
図２〜図５において、加熱調理器用排気誘導装置１は、加熱調理器２０の調理部２１の後方に水平支持軸による回動可能な支持手段７を介して固定しており、図２に示すように扁平状のケーシング２を上端が後方斜めに位置するように立設可能とし、ケーシング２を図３に示すように支持手段７により回動して水平に位置させることにより加熱調理器２０の調理部２１を覆う蓋となる大きさとしている。
【００２５】
ケーシング２の内部には、調理部２１の排気５ａを誘導するためにクロスフローファン３及びファンモータ３ａを備え、さらに、クロスフローファン３から吹出された誘導空気４ａの通路４ｂを備えると共に誘導空気４ａを吹出す誘導空気吹出口４をケーシング２の内部上方に向けて開口している。
【００２６】
ケーシング２の調理部２１側となる前面側であって誘導空気吹出口４の高さ位置の下方近傍に、調理部２１からの排気５ａを誘導する排気誘導口５を設けている。この排気誘導口５からの排気５ａの通路５ｂと誘導空気４ａの通路４ｂとは区画してケーシング２内に設けている。
ケーシング２の前面側であって誘導空気吹出口４の位置する上方に誘導気流吹出口６を設け、誘導空気４ａの通路４ｂからの誘導空気４ａと、排気５ａの通路５ｂからの排気５ａと、後記するグリルの排気路１３からのグリル排気１３ａとをこの誘導気流吹出口６から吹出すようにしている。
【００２７】
排気誘導口５には、複数の水平案内羽根５ｃを設けて調理部２１からの排気５ａをケーシング２の内部に案内している。
誘導気流吹出口６は横長の長方形の開口とし、誘導空気吹出口４から誘導気流吹出口６の上端にかけてケーシング２の内部に気流ガイド板４ｃを設けている。
誘導気流吹出口６の上部は、誘導気流吹出口６からの誘導気流６ａを上方に案内する壁面部２ａを備えた中空のケーシングとしており、その上端部にケーシング２を回動する手掛け部２ｂを設けている。
【００２８】
加熱調理器２０は市販の電磁誘導加熱式であって、内部の電子部品等の発熱を冷却するための冷却空気の通路及び冷却用ファンを備えると共に魚焼などのためのグリルを備えている（図示せず）。
また、加熱調理器２０の加熱部２１の後部上面には、図５に示すように、冷却空気の給気口２２、冷却空気の排気口２３及びグリルの排気口２４を備えている。
これら冷却空気の給気口２２、冷却空気の排気口２３及びグリルの排気口２４の周りには、図２に示すように、ケーシング２を回動して立設するとその底部８が加熱調理器２０の内部に位置するように上面から見てコ字型の切り込み溝を市販の加熱調理器２０に加工している。
【００２９】
クロスフローファン３の下方における排気誘導装置１のケーシング２の下方背面側には、横長の長方形の給気口９を設けており、ケーシング２の底部８には、前面側に図４に示すように、加熱調理器２０の冷却空気の給気口２２に連通する冷却空気給気用開口部１０と、冷却空気の排気口２３に連通する冷却空気排気用開口部１１と、グリルの排気口２４に連通するグリル排気用開口部１２とを設けている。
【００３０】
ケーシング２の給気口９から吸込まれた給気の一部は、加熱調理器２０に内蔵されているファンにより、冷却空気の給気口２２及びケーシング２の底部８の冷却空気給気用開口部１０を通って冷却空気の通路に連通し、加熱調理器２０の電子部品等を冷却してケーシング２０の底部８の冷却空気排気用開口部１１及び冷却空気の排気口２３を通ってケーシング２０に内蔵されているクロスフローファン３に吸込まれるのである。
また、ケーシング２の給気口９から吸込まれた給気の他部は、クロスフローファン３に直接吸込まれるようにしている。
【００３１】
ケーシング２の底部８のグリル排気用開口部１２は、ケーシング２の内部に仕切板１３ｂにより区画して設けたグリルの排気路１３に連通しており、加熱調理器２０のグリルの排気口２４からのグリル排気１３ａをグリルの排気路１３を通って、誘導空気吹出口４の近傍で誘導空気吹出口４から吹出される誘導空気により誘引されるようにしている。
グリル排気１３ａがクロスフローファン３に吸込まれないようにしたのは、グリル排気１３ａが高温でクロスフローファン３の耐熱性の問題を避けることと、グリル排気１３ａによるクロスフローファン３の汚れを避けるためである。
【００３２】
以上のように構成した本発明の第一の実施の形態に係る加熱調理器用排気誘導装置の作用について以下に説明する。
加熱調理器２０のＩＨヒータ、ラジエントヒータ及びグリルのいずれかを使用して調理をする場合、図２に示すようにケーシング２を立設させ、加熱調理器用排気誘導装置１の電源スイッチをＯＮにしてクロスフローファン３を運転する。
【００３３】
ケーシング２の給気口９から吸込まれ加熱調理器２０の電子部品等を冷却した給気の一部と、給気口９から吸込まれた給気の他部とは、クロスフローファン３に吸込まれ誘導空気吹出口４を通って誘導気流吹出口６から吹出される。誘導空気吹出口４からの誘導空気４ａの吹き出しにより、排気誘導口５近傍に誘引作用が生じて、加熱調理器２０の調理部２１からの排気５ａが誘引され、この排気５ａと上記誘導空気４ａとは誘導気流吹出口６から共に吹出され、コアンダ効果により上方の壁面部２ａを上昇する。
グリル排気１３ｂの場合も、同様にグリルの排気路１３の上端近傍に誘引作用が生じてグリル排気１３ｂが誘引され、誘導気流吹出口６から共に吹出され、コアンダ効果により上方の壁面部２ａを上昇する。
【００３４】
壁面部２ａの上端に到達した誘導気流６ａはレンジフード３１から排気装置３０により室外に排出されるのである。
壁面部２ａの上端とレンジフード３１の開口３１ａとが離れている場合、誘導気流６ａを確実にレンジフード３１に導くため、レンジフード３１に誘導板３１ｂを付設し、回動支点３１ｃにより下方に回動して下端を壁面部２ａの上端近くに固定でき、水平に回動して開口３１ａの蓋にできるようにしてもよい。
【００３５】
以上の第一の実施の形態では、加熱調理器２０を電磁誘導加熱式としたが、ガスコンロによる加熱調理器にも本発明を適用できる。この場合、加熱調理器用排気誘導装置は、冷却空気給気用開口部１０、冷却空気排気用開口部１１及びグリル排気路１２を省略して、ガスコンロの後上方に立設し、給気口９からの空気をクロスフローファン３に吸込ませるのである。
また、この場合、クロスフローファン３をケーシング２の内部に設ける必要はなく、ケーシング２の下方の調理台の内部にファンを設けて、ケーシング２の給気口９を省略すると共にケーシング２の内部に設けた誘導空気４ａの通路４ｂにファンから吹出された誘導空気をダクトなどにより接続すればよいのである。この場合、ファンの形式もクロスフローファンに限らず遠心式ファンでもよい。
【００３６】
また、以上の第一の実施の形態では、加熱調理器２０の調理部２１の後部上面には、冷却空気の給気口２２、冷却空気の排気口２３及びグリルの排気口２４を備えていたが、冷却空気の給気口を加熱調理器の前方又は側方に設けて、ケーシング２の給気口９を省略し、冷却空気の通路を誘導空気４ａの通路４ｂに接続して、ファンを加熱調理器内とケーシング内とのいずれか一方に設けることもでき、このようにすれば他方をコンパクトに構成できる。
【００３７】
さらに、以上の第一の実施の形態では、排気誘導口５を誘導空気吹出口４の高さ位置の下方近傍に設けたが、誘導空気吹出口４の高さ位置の近傍でもよい。また、排気誘導口５には複数の案内羽根５ｃを設けたが、案内羽根を無くしてデザイン性を向上することもできる。
【００３８】
次に、本発明の第二の実施の形態に係る加熱調理器用排気誘導装置を図６に基づき説明する。第二の実施の形態は、ケーシング２の上端部に延長壁面板１４を設けている点で上記の第一の実施の形態と相違する。
以下、第一の実施の形態と相違する点について詳細に説明し、第一の実施の形態と同じ点については説明を省略する。
【００３９】
図６において、延長壁面板１４は、ケーシング２の上端部に連結して上方に延長可能であり、下方にスライドすることによりケーシング２の調理部２１側に重ね合わせ可能である。延長壁面板１４を上方に延長したり、ケーシング２に重ね合わせたりするにあたって、延長壁面板１４を回動することも考えられるが、調理部２１に鍋などを載せていたときに回動できず、回動するときには必ず鍋などを調理部２１から取り外さなければならないので、スライド式の方が取扱いが簡単である。
ケーシング２と延長壁面板１４との連結部には、延長壁面板１４をスライドさせて上方に引き出した状態で、ケーシング２と延長壁面板１４とを所定角度で立設可能な固定手段１５を備えている。
【００４０】
また、延長壁面板１４を下方にスライドさせてケーシング２に重ね合わせてケーシング２を回動して水平に位置させることにより加熱調理器２０の調理部２１を覆う蓋となる大きさにケーシング２及び延長壁面板１４を形成している。
このようにケーシング２及び延長壁面板１４を調理部２１の蓋とした場合、調理部２１の汚れの目隠しになると共に蓋を調理のためのスペースとすることができる。
【００４１】
第二の実施の形態では、加熱調理用排気誘導装置１のケーシング２に設けた誘導気流吹出口６から吹出された誘導気流６ａを、コアンダ効果によりケーシング２の壁面部２ａ及び延長壁面板１４に沿ってレンジフード３１の開口３１ａに確実に導くようにしている。また、延長壁面板１４をケーシング２に重ね合わせて、調理部２１の蓋にすることができるようにしている。
【００４２】
次に、本発明の第三の実施の形態に係る加熱調理用排気誘導装置について、図７に基づき説明する。
第一及び第二の実施の形態では、ケーシング２の底部８に加熱調理器２０の冷却空気の給気口２２に連通する冷却空気給気用開口部１０と、冷却空気の排気口２３に連通する冷却空気排気用開口部１１と、グリルの排気口２４に連通するグリル排気用開口部１２とを設けて、加熱調理器２０のこれら給気口２２、排気口２３、２４とケーシング２とを連通させていたが、第三の実施の形態では、ケーシング２を加熱調理器２０と連通、連結することなく、加熱調理器２０から若干後方に離して、調理台２５の上方に立設するのである。
以下、第二の実施の形態と相違する点について詳細に説明し、第二の実施の形態と同じ点については説明を省略する。
【００４３】
図７において、ケーシング２は壁面３６に沿って平行に立設しており、調理台２５に固定している。ケーシング２の下方部にクロスフローファン３を設けると共に、底面及び背面にクロスフローファン３の給気口を設けている。
調理台２５の上方に立設するケーシング部分は、誘導空気４ａの通路４ｂと誘導空気吹出口４と排気５ａの通路５ｂを内部に備え、加熱調理器２０側に、排気誘導口５と誘導気流吹出口６と壁面部２ａを備えた薄型ケーシングとしている。
【００４４】
この第三の実施の形態では、延長壁面板１４をケーシング２にスライドして重ね合わせ可能としているが、ケーシング２及び延長壁面板１４を調理部２１の蓋とする機能は備えていない。
この第三の実施の形態に係る加熱調理器用排気誘導装置は、クロスフローファン３を備えたケーシング２の下方部を調理台２５の内部に収納しているので、調理台２５の上方に立設したケーシング２の部分が薄型コンパクトである。
【図面の簡単な説明】
【００４５】
【図１】本発明の第一の実施の形態に係る加熱調理器用排気誘導装置の概略を示す側面図。
【図２】図１における加熱調理器及び排気誘導装置に係る部分の拡大図。
【図３】図２における排気誘導装置を水平位置まで回動して加熱調理器の蓋とした状態の側面図。
【図４】排気誘導装置に係る図２におけるＡ矢視図。
【図５】排気誘導装置および加熱調理器の天板部に係る図３におけるＢ矢視図。
【図６】本発明の第二の実施の形態に係る加熱調理器用排気誘導装置の概略を示す側面図。
【図７】本発明の第三の実施の形態に係る加熱調理器用排気誘導装置の概略を示す側面図。
【図８】従来の局所排気装置を示す図。
【図９】従来のレンジフード装置を示す図。
【符号の説明】
【００４６】
１      加熱調理器用排気誘導装置
２      ケーシング
２ａ    壁面部
３      クロスフローファン
４      誘導空気吹出口
４ａ    誘導空気
４ｂ    誘導空気の通路
５      排気誘導口
５ａ    排気
５ｂ    排気の通路
６      誘導気流吹出口
６ａ    誘導気流
７      支持手段
９      給気口
１３    グリルの排気路
１４    延長壁面板
１５    固定手段
２０    加熱調理器
２１    調理部
２２    冷却空気の排気口
２３ａ  グリルの排気口
３１    レンジフード
３１ａ  レンジフードの開口
【図１】
2008202852.tif 000003
【図２】
2008202852.tif 000004
【図３】
2008202852.tif 000005
【図４】
2008202852.tif 000006
【図５】
2008202852.tif 000007
【図６】
2008202852.tif 000008
【図７】
2008202852.tif 000009
【図８】
2008202852.tif 000010
【図９】
2008202852.tif 000011